(57)【特許請求の範囲】
【請求項１】
受信機の検波回路の出力に基づきノイズ成分を抽出するノイズ抽出手段と、抽出されたノイズ成分を整流する整流回路と、整流されたノイズ成分を平滑化された直流電圧とする平滑コンデンサと、前記直流電圧の電圧値と所定の閾電圧値との比較結果に基づいて前記検波回路の出力に基づく音声出力のオン・オフ制御を行う制御手段とを備えたスケルチ回路において、
前記受信機における受信周波数の変更開始時点又はその後の所定の時点から変更が完了する時点まで、前記直流電圧の電圧値を前記閾電圧値に固定する電圧固定手段を具備することを特徴とするスケルチ回路。
【請求項２】
前記電圧固定手段は、前記受信機の局部発振器の動作に基づいて得られる受信周波数の変更開始及び完了を示す信号に基づき、受信周波数の変更開始時点から完了時点までの期間、前記電圧値の固定を行うものであることを特徴とする請求項１に記載のスケルチ回路。
【請求項３】
前記電圧固定手段は、前記閾電圧値の電圧を供給する電圧供給手段、並びに前記電圧供給手段及び平滑コンデンサ間に設けられたスイッチを備え、前記スイッチをオン状態とすることにより前記電圧値の固定を行うものであることを特徴とする請求項１又は２に記載のスケルチ回路。
【請求項４】
ＡＤＣ入力用の端子及びＤＡＣ出力用の端子を有するマイコン、並びに前記ＤＡＣ出力用端子及び平滑コンデンサ間に設けられたスイッチを備え、前記マイコンは前記ＡＤＣ入力用端子に印加される前記平滑化された直流電圧に基づき前記制御手段として機能するとともに、前記ＤＡＣ出力用端子から前記閾電圧値の電圧を出力し、前記スイッチを制御することによって前記電圧固定手段として機能するものであることを特徴とする請求項１又は２に記載のスケルチ回路。
【請求項５】
ＡＤＣ入力用及びＤＡＣ出力用に兼用される端子を備えたマイコンを備え、該マイコンは、該端子をＡＤＣ入力用として用い、該端子から前記平滑化された直流電圧の入力を受け入れることによって前記制御手段として機能するとともに、該端子をＤＡＣ出力用として用い、該端子から前記閾電圧値の電圧を出力することによって前記電圧固定手段として機能するものであることを特徴とする請求項１又は２に記載のスケルチ回路。
【請求項６】
前記電圧固定手段は所定の電源電圧、ダイオードの順方向電圧、ツェナーダイオードのピンチオフ電圧、又はシャントレギュレータの出力電圧により前記電圧値の固定を行うものであることを特徴とする１又は２に記載のスケルチ回路。
【請求項７】
請求項１〜６のいずれかのスケルチ回路を備え、受信周波数の変更後において、該スケルチ回路により音声出力がオンとされる有効な信号の受信がなされるか否かを、該スケルチ回路における平滑化された直流電圧に基づいて判定する手段を備え、この判定手段を用いてスキャンを行う機能を有することを特徴とする無線機。
【発明の詳細な説明】
【技術分野】
【０００１】
本発明は、無線機等において、検波回路の出力におけるノイズレベルに応じ、音声出力レベルの制御を行うスケルチ回路に関する。
【背景技術】
【０００２】
一般に、ＦＭ方式の無線機には、信号レベルの低い不要な電波に基づいて大きな雑音がスピーカから出力されるのを防止するために、スケルチ回路が設けられている。スケルチ回路とは、ＦＭ検波信号からバンドパスフィルタにより抽出されるノイズ成分を、整流回路を用いてそのレベルに応じた値の直流電圧（以下、「スケルチ電圧」という。）に変換し、その電圧値が所定の閾値以上かどうかに基づき、検波により得られる音声信号のスピーカへの出力を停止し、及びその停止状態を解除する機構である（たとえば、特許文献１参照）。
【０００３】
図１２は従来例に係る無線機のスケルチ回路を示す回路図である。このスケルチ回路においては、検波回路１１の出力に含まれるノイズ成分をバンドパスフィルタ１２によって抽出し、これを整流回路１３によって整流し、さらにコンデンサＣ２により平滑化することによって、スケルチ電圧ｓｐを取得するようにしている。スケルチ電圧ｓｐは、マイコン１４のＡＤＣ入力端子１４ａに供給される。
【０００４】
マイコン１４はこのスケルチ電圧ｓｐを、ＡＤコンバータによりデジタルデータに変換し、所定の閾値と比較する。そして、アンプ１６に対し、アンプ制御信号ａｃとして、スケルチ電圧ｓｐが閾値未満であればオン信号を送り、閾値以上であればオフ信号を送る。アンプ１６はアンプ制御信号ａｃがオン状態にある場合にのみ、検波回路１１の出力を増幅してスピーカ１７に供給する。これにより、受信チャネルにおいて、有効な信号（希望波）が含まれておらず、ノイズ成分のレベルが高い場合に、スピーカ１７から強い雑音が出力されるのを防止している。
【０００５】
スケルチ電圧が所定の閾値以上かどうかの検出は、一般的には上述のように、スケルチ電圧をＡＤコンバータで数値化した値に基づき、マイコンにおいて行われる。しかし、スケルチ回路の整流回路から出力される電圧は、非常にレベルの大きい雑音成分を伴っている。このため通常、上述のように、ＡＤコンバータの手前にコンデンサを挿入して雑音成分を除去し、直流成分のみをスケルチ電圧として取り出すようにしている。
【０００６】
一方、無線機には、その特有の機能として、スキャンという機能が設けられている。この機能は、それぞれ異なる周波数が割り当てられた複数のチャネルのうち設定された２以上のものを順次受信し、受信中のチャネルに希望波が存在しない場合には次のチャンネルを受信し、そこにも希望波がなければさらに次のチャンネルを受信するという動作を繰り返すとともに、受信中のチャネルに希望波が存在する場合にはそのチャネルに留まり、受信信号を検波して音声をスピーカから出力するというものである。
【０００７】
また、これとは別に、ある通常のチャネルにおいて受信信号を検波して音声をスピーカから出力している最中に、特別に設定されたチャネル（以下、「優先チャネル」という。）に希望波が存在するか否かを定期的に確認し、希望波が存在しない場合には上記通常チャネルに戻って検波を継続するが、希望波が存在する場合にはその優先チャネルに留まって新たにそのチャネルでの検波を開始する、プライオリティスキャンという機能がある。
【０００８】
【特許文献１】特許第２９８４８５０号公報
【発明の開示】
【発明が解決しようとする課題】
【０００９】
しかしながら、上述の従来技術によれば、ＡＤコンバータの手前に挿入された平滑コンデンサが、ノイズレベルの変動に対し、スケルチ電圧における応答の遅延を引き起こす。図１３は受信周波数が変更される際のＡＤコンバータに入力されるスケルチ電圧の波形を示す。図中の１３１はスケルチ電圧の波形、１３２はＵＬ（アンロック）電圧の波形である。ＵＬ電圧は、無線機の局部発振器の動作に基づくものであり、３．３［Ｖ］のとき、受信周波数が確定していて無線機が受信動作を行っており、０．０［Ｖ］のとき、受信周波数は変更中であって固定されておらず（アンロック）、何も受信していないことを示している。
【００１０】
同図のように、ＵＬ電圧は、受信周波数の変更が開始されると３．３［Ｖ］から０．０［Ｖ］となり、受信周波数の変更が完了すると、再び３．３［Ｖ］に戻る。この間、スケルチ電圧は、受信周波数の変更開始前は３．３［Ｖ］程度の値であるが、受信周波数の変更完了後において、３．３［Ｖ］程度の値から、変更後における本来の１［Ｖ］程度の値に収束する。この収束には、５０［ｍｓｅｃ］程度を要している。したがって、受信周波数の変更後、マイコンがスケルチ電圧についての判定を行うことができるようになるまでには、５０［ｍｓｅｃ］程度の待ち時間を設ける必要がある。
【００１１】
特に、受信周波数を切り替える場合には、切替え前の周波数から切替え後の周波数への移行期間中はまったく受信を行わないので、検波信号のノイズレベルは最大となり、整流回路が出力するスケルチ電圧は最も高いレベルにまで引き上げられる。このため、スケルチ電圧がその高いレベルから、希望波受信時の低いノイズレベルに対応する本来の直流電圧に収束するまでに、コンデンサの影響によって顕著な時間を要する。
【００１２】
また、スキャン時やプライオリティスキャン時には、希望波の有無の判定にスケルチ電圧を使用しているが、上述のように、スケルチ電圧を得るために平滑コンデンサを使用しているので、あるチャネルの受信を開始しても直ちには本来のスケルチ電圧を得ることができない。したがって、受信を開始してから希望波の有無を判定するまでに、所定の待ち時間を設ける必要がある。このため、希望波が無いチャンネルをスキャンする際にも一定の時間を必要とするので、スキャン速度を向上させることができない。また、プライオリティスキャンに際しては優先チャネルに希望波が存在しない場合における通常チャネルの受信音に途切れを生じる。
【００１３】
特に、ＡＰＣＯ  Ｐ２５（ＡＣＰＯプロジェクト２５）方式に準拠した無線機が採用しているＩＭＢＥ（Ｍｕｌｔｉ−Ｂａｎｄ  Ｅｘｃｉｔａｔｉｏｎ）方式のボコーダ（音声エンコーダ・デコーダ）によれば、受信信号が存在しなくなった場合でも、その時点から一定の時間、たとえば３８［ｍｓｅｃ］以内であれば、その時点以前の音声信号に基づく予測及び補間を行うことによって、受信音の出力を擬似的に継続することができる。したがって、プライオリティスキャンを行うに際しても、優先チャネルにおける希望波の有無を確認し、受信中の通常チャネルに戻ってくるまでの時間が３８［ｍｓｅｃ］以下であれば、途切れなく、通常チャネルの音声をスピーカから出力し続けることができる。しかし実際には、スケルチ回路の平滑コンデンサに起因して必要とされる待ち時間のため、受信信号の途切れた状態が３８［ｍｓｅｃ］以上継続するので、通常チャネルの音声出力において途切れが発生する。
【００１４】
図１４はこの状況を示すタイミングチャートである。時刻ｔ１までは、ある通常チャネルを受信している。この間、受信信号をデコードして得られる音声信号１４１に基づく音声がスピーカから出力される。時刻ｔ１において、プライオリティスキャンが開始されると、ＵＬ電圧は０．０［Ｖ］となり、何も受信していない状態となるので、検波回路の出力におけるノイズレベルが最高値となり、スケルチ電圧は最高レベルにまで引き上げられる。
【００１５】
時刻ｔ１から１３［ｍｓｅｃ］が経過し、時刻ｔ２に至ると、優先チャネルへの変更が完了し、ＵＬ電圧は３．３［Ｖ］となって、優先チャネルにおける受信動作が開始されるが、スケルチ電圧はその後、５０［ｍｓｅｃ］を費やし、時刻ｔ４において本来の値に収束する。この値はこの場合、所定の閾値より大きいので、優先チャネルにおいては有効な受信信号が存在しないと判定され、通常チャネルへの変更が開始されることになる。
【００１６】
時刻ｔ４において通常チャネルへの変更が開始されると、同様にして、スケルチ電圧は最高レベルにまで引き上げられる。１３［ｍｓｅｃ］が経過し、時刻ｔ５において通常チャネルへの変更が完了すると、通常チャネルにおける受信信号をデコードして得られる音声信号１４４に基づく音声の出力が開始され、プライオリティスキャンが完了するとともに、その後、スケルチ電圧は同様にして、本来の値に収束する。
【００１７】
時刻ｔ１〜ｔ５の期間においては、通常チャネルにおける受信を行うことができない。このため、時刻ｔ１から３８［ｍｓｅｃ］経過後の時刻ｔ３までの期間においては上述のボコーダにより補間された音声信号１４２に基づく音声の出力が行われる。その後の時刻ｔ３〜ｔ５の期間においては、通常チャネルの受信が停止してから３８［ｍｓｅｃ］を経過しているので、ボコーダによる音声信号の補間は行われず、音声が途切れた状態１４３となる。
【００１８】
本発明の目的は、このような従来技術の問題点に鑑み、受信チャネルの変更後におけるスケルチ電圧についての判定をより迅速に行うことができるようにすることにある。
【課題を解決するための手段】
【００１９】
上記目的を達成するため、第１の発明は、受信機の検波回路の出力に基づきノイズ成分を整流する整流回路と、整流されたノイズ成分を平滑化された直流電圧とする平滑コンデンサと、前記直流電圧の電圧値と所定の閾電圧値との比較結果に基づいて検波回路の出力に基づく音声出力のオン・オフ制御を行う制御手段とを備えたスケルチ回路に関する。このスケルチ回路は、受信機における受信周波数の変更開始時点又はその後の所定の時点から変更が完了する時点まで、前記直流電圧の電圧値を所定の電圧レベルに固定する電圧固定手段を具備することを特徴とする。ここで、受信機としては、たとえばＦＭ無線機を構成する受信機が該当する。検波回路としては、たとえば周波数弁別器が該当する。
【００２０】
この構成において、電圧固定手段が存在しない従来の場合、受信機における受信周波数の変更が開始されると、信号を何も受信していない状態となり、検波回路の出力におけるノイズレベルが最高値となるので、平滑化された直流電圧の電圧値も最高レベルに引き上げられる。受信周波数の変更が完了すると、その受信周波数において受信信号が存在すれば、検波回路の出力におけるノイズレベルが低下するので、平滑化された直流電圧の電圧値も対応して低下することになるが、平滑コンデンサの作用により、直ちにはノイズレベルに対応した値をとることができず、その本来の値に収束するまでには所定の期間を要する。このため、スケルチ電圧についての判定を迅速に行うことができない。したがって、受信機は、受信周波数の変更後において、前記制御手段により音声出力がオンとされる有効な受信信号の有無の判定を、迅速に行うことができない。
【００２１】
これに対し本発明によれば、受信機における受信周波数の変更開始時点又はその後の所定の時点から変更が完了する時点まで、直流電圧の電圧値を所定の電圧レベルに固定するようにしているため、受信周波数の変更完了後、その固定された電圧レベルから、変更完了後のノイズレベルに対応する直流電圧のレベルへの収束が行われる。したがって、前記所定の電圧レベルを適切に設定することにより、収束に至るまでの期間を短縮し、スケルチ電圧についての判定を迅速に行うことができる。したがって受信機は、受信周波数の変更後における有効な受信信号の有無の判定を、より迅速に行うことができる。
【００２２】
第２の発明に係るスケルチ回路は、第１発明において、前記所定の電圧レベルは前記閾電圧値に等しいことを特徴とする。
【００２３】
第３の発明に係るスケルチ回路は、第１又は第２発明において、電圧固定手段は、受信機の局部発振器の動作に基づいて得られる受信周波数の変更開始及び完了を示す信号に基づき、受信周波数の変更開始時点から完了時点までの期間、前記電圧値の固定を行うものであることを特徴とする。
【００２４】
第４の発明に係るスケルチ回路は、第１〜第３のいずれかの発明において、電圧固定手段は、前記所定の電圧レベルの電圧を供給する電圧供給手段、並びにこの電圧供給手段及び平滑コンデンサ間に設けられたスイッチを備え、このスイッチをオン状態とすることにより前記電圧値の固定を行うものであることを特徴とする。ここで、スイッチには、たとえばトランジスタを用いたスイッチや、リレースイッチも含まれる。
【００２５】
第５の発明に係るスケルチ回路は、第１〜第３のいずれかの発明において、ＡＤＣ入力用の端子及びＤＡＣ出力用の端子を有するマイコン、並びに前記ＤＡＣ出力用端子及び平滑コンデンサ間に設けられたスイッチを備え、前記マイコンはＡＤＣ入力用端子に印加される前記平滑化された直流電圧に基づき前記制御手段として機能するとともに、ＤＡＣ出力用端子から前記所定電圧レベルの電圧を出力し、前記スイッチを制御することによって前記電圧固定手段として機能するものであることを特徴とする。
【００２６】
第６の発明に係るスケルチ回路は、第１〜第３のいずれかの発明において、ＡＤＣ入力用及びＤＡＣ出力用に兼用される端子を備えたマイコンを備え、該マイコンは、該端子をＡＤＣ入力用として用い、該端子から前記平滑化された直流電圧の入力を受け入れることによって前記制御手段として機能するとともに、該端子をＤＡＣ出力用として用い、該端子から前記所定電圧レベルの電圧を出力することによって前記電圧固定手段として機能するものであることを特徴とする。
【００２７】
第７の発明に係るスケルチ回路は、第１〜第３のいずれかの発明において、電圧固定手段は所定の電源電圧、ダイオードの順方向電圧、ツェナーダイオードのピンチオフ電圧、又はシャントレギュレータの出力電圧により前記電圧値の固定を行うものであることを特徴とする。
【００２８】
第８の発明に係る無線機は、第１〜第７のいずれかのスケルチ回路を備え、受信周波数の変更後において、該スケルチ回路により音声出力がオンとされる有効な信号の受信がなされるか否かを、該スケルチ回路における平滑化された直流電圧に基づいて判定する手段を備え、この判定手段を用いてスキャンを行う機能を有することを特徴とする。スキャンとしては、たとえば予め設定された２以上のチャネルを順次受信してゆき、有効な信号の受信がなされるチャネルがあれば、そのチャネルの受信に切り替えるスキャンや、プライオリティスキャンが該当する。
【発明の効果】
【００２９】
本発明によれば、受信機における受信周波数の変更開始時点又はその後の所定の時点から変更が完了する時点まで、平滑化された直流電圧（スケルチ電圧）の電圧値を所定の電圧レベルに固定するようにしたため、受信チャネルの変更後における該直流電圧についての判定をより迅速に行うことができる。したがって、本発明のスケルチ回路が設けられた受信機においては、受信周波数の変更後における有効な受信信号の有無の判定を迅速に行い、スキャン動作の速度を向上させることができる。また、プライオリティスキャン時の音切れを防止することができる。
【発明を実施するための最良の形態】
【００３０】
図１は本発明の第１の実施形態に係る無線機におけるスケルチ回路の構成を示す回路図である。図中の１１はアンテナからの信号を検波して、復調された音声信号ｓｄを出力する検波回路、１２は検波回路１１の出力に基づきノイズ成分を抽出するバンドパスフィルタ、１３はバンドパスフィルタ１２の出力を整流する整流回路、Ｃ２は整流回路１３の出力を平滑化する平滑用コンデンサ、１４は平滑化された整流回路１３の出力ｓｐ等に基づき、装置各部を制御するマイコン、１５はマイコン１４のＡＤＣ入力端子１４ａ及びＤＡＣ出力端子１４ｂ間に設けられたスイッチ、１６は検波回路１１からの音声信号ｓｄを増幅するオーディオアンプ、そして１７はオーディオアンプ１６からの音声信号を音波信号に変換するスピーカである。
【００３１】
整流回路１３はＡＤＣ入力端子１４ａとアースとの間において直列に接続された２つのダイオードＤ１及びＤ２、この直列回路に対して並列に接続された抵抗Ｒ１、並びにダイオードＤ１及びＤ２の接続点とバンドパスフィルタ１２との間に設けられたコンデンサＣ１を備える。ダイオードＤ１及びＤ２はＡＤＣ入力端子１４ａに向けて順方向となるように設けられている。
【００３２】
この無線機はＡＰＣＯ  Ｐ２５（ＡＣＰＯプロジェクト２５）方式に準拠しており、ＩＭＢＥ（Ｍｕｌｔｉ−Ｂａｎｄ  Ｅｘｃｉｔａｔｉｏｎ）方式のボコーダ（音声エンコーダ・デコーダ）を備えている。このボコーダは、一定時間、たとえば３８［ｍｓｅｃ］以内であれば、受信信号が瞬間的に途切れた場合でも、それ以前の音声信号に基づき、途切れた信号部分についての予測及び補間処理を行うことによって、音声信号を途切れなく出力し続けることができる機能を有している。
【００３３】
この構成において、指定されたチャネルの受信信号が検波回路１１に供給されると、検波回路１１は受信信号に基づいて検波を行い、得られる音声信号ｓｄをアンプ１６に出力する。アンプ１６はこの音声信号ｓｄを増幅して、スピーカ１７に供給する。一方、バンドパスフィルタ１２は、検波回路１１の出力ｓｄに基づき、ノイズ成分を抽出して整流回路１３に供給する。整流回路１３は、ノイズ成分のレベルに応じた直流電圧としてのスケルチ電圧ｓｐを出力する。スケルチ電圧ｓｐは、コンデンサＣ２によって平滑化され、マイコン１４に対し、ＡＤＣ入力端子１４ａを介して供給される。
【００３４】
マイコン１４はスケルチ電圧ｓｐをＡＤ変換して、判定閾値電圧であるたとえば１［Ｖ］と比較し、比較結果に基づいてアンプ制御信号ａｃをアンプ１６に送る。すなわち、この例ではスケルチ電圧ｓｐが１［Ｖ］以上のときはオフ信号を、１［Ｖ］未満のときはオン信号をアンプ１６に送る。アンプ１６は、アンプ制御信号ａｃがオンの場合には、スピーカ１７に対して増幅した音声信号ｓｄを出力し、オフの場合には出力しない。マイコン１４はまた常に、ＤＡＣ出力端子１４ｂから、上記判定閾値電圧と等しい１［Ｖ］をＤＡ変換して出力している。
【００３５】
無線機は、受信信号の周波数変換に使用する局部発信周波数を生成する局部発振器の動作を観測しており、いずれかのチャンネルの受信を行っているときには３．３［Ｖ］、何も受信していないときには０．０［Ｖ］を、ＵＬ信号として、マイコン１４に与える。マイコン１４は、ＵＬ信号が３．３［Ｖ］のときはスイッチ１５を開状態とし、０．０［Ｖ］のときは閉状態とするためのスイッチ制御信号ｓｃを出力する。
【００３６】
図２は受信周波数が変更される際のＡＤＣ入力端子１４ａに印加される電圧及びＵＬ信号の波形例を示す。図中の２１はＡＤＣ入力端子１４ａに印加される電圧の波形であり、２２はＵＬ信号の波形である。同図においては受信周波数変更前のスケルチ電圧が３．５［Ｖ］程度であり、受信周波数変更後のスケルチ電圧が１［Ｖ］の場合について示している。受信周波数の変更が開始される前、ＵＬ信号は３．３［Ｖ］であり、マイコン１４はスイッチ１５を開状態としている。したがって、ＡＤＣ入力端子１４ａには受信周波数変更前のスケルチ電圧がそのまま印加されている。
【００３７】
受信周波数の変更が開始されると、何も受信していない状態となるので、ＵＬ信号は０．０［Ｖ］となる。これに応じてマイコン１４はスイッチ１５を閉状態とする。これにより、ＤＡＣ出力端子１４ｂの電圧１［Ｖ］がそのままＡＤＣ入力端子１４ａに印加される状態となる。
【００３８】
その後、受信周波数が確定して受信動作が開始されると、ＵＬ信号は３．３［Ｖ］となる。これに応じ、マイコン１４はスイッチ１５を開状態とする。すると、ＡＤＣ入力端子１４ａの電圧は、１［Ｖ］を起点として、受信周波数変更後のスケルチ電圧に収束することになる。ただし、図２の例では受信周波数変更後のスケルチ電圧が丁度１［Ｖ］であるため、直ちに収束することになる。
【００３９】
図３は受信周波数の変更後のスケルチ電圧が０．７［Ｖ］である他は図２の例の場合と同様の場合におけるＡＤＣ入力端子１４ａの電圧の波形３１及びＵＬ信号の波形３２を示す。ＵＬ信号の波形３２は図２の場合と同様である。ＡＤＣ入力端子１４ａの電圧の波形３１については、変更が完了するまでは図２の場合と同様であるが、変更が完了し、受信周波数が確定して受信動作が開始され、スイッチ１５が閉状態から開状態にされると、１［Ｖ］を起点として０．７［Ｖ］のスケルチ電圧にまで収束することになる。ただし、基点となる１「Ｖ」はスケルチ電圧についての判定閾値電圧１［Ｖ］と同じであるため、マイコン１４は直ちにスケルチ電圧が１［Ｖ］未満であるとの判定を行い、変更後の周波数において有効な音声信号が存在することを認識したり、アンプ制御信号ａｃをオンとして受信周波数変更後の聴取を可能にしたりすることができる。
【００４０】
図４は受信周波数の変更後のスケルチ電圧が１．５［Ｖ］である他は図２の例の場合と同様の場合におけるＡＤＣ入力端子１４ａの電圧の波形４１及びＵＬ信号の波形４２を示す。ＵＬ信号の波形４２は図２の場合と同様である。ＡＤＣ入力端子１４ａの電圧の波形４１については、変更が完了するまでは図２の場合と同様であるが、変更が完了し、受信周波数が確定して受信動作が開始され、スイッチ１５が閉状態から開状態にされると、１［Ｖ］を起点として１．５［Ｖ］のスケルチ電圧にまで収束することになる。ただし、基点となる１「Ｖ」はスケルチ電圧についての判定閾値電圧１［Ｖ］と同じであるため、マイコン１４は直ちにスケルチ電圧が１［Ｖ］以上であるとの判定を行い、アンプ制御信号ａｃをオフとして雑音がスピーカ１７から出力されるのを防止したり、変更後の周波数において有効な音声信号が存在しないことを認識したりすることができる。
【００４１】
図５は図１の装置におけるプライオリティスキャン時の動作を示すタイミングチャートである。同図においては、上から順に、ＵＬ電圧、スイッチ制御信号ｓｃ、スケルチ電圧ｓｐ、及びスピーカ１７に出力される音声信号の各波形が示されている。時刻Ｔ１までの期間は通常チャネルの受信を行う期間、時刻Ｔ１〜Ｔ２までの期間は通常チャネルから優先チャネルへの切替えを行うための期間、時刻Ｔ２〜Ｔ３までの期間は優先チャネルにおける有効な受信信号の有無を確認するための期間、時刻Ｔ３〜Ｔ４までの期間は優先チャネルから通常チャネルへの切替えを行う期間、時刻Ｔ４以降の期間は通常チャネルの受信を行う期間である。
【００４２】
通常チャネルを受信しているＴ１までの期間においては、ＵＬ電圧が３．３［Ｖ］であるため、マイコン１４はスイッチ１５を開状態とする。したがってこの期間、マイコン１４のＡＤＣ入力端子１４ａにはスケルチ電圧ｓｐが印加される。この間、マイコン１４はスケルチ電圧が１［Ｖ］未満であれば、ノイズ成分のレベルは低いので、オン信号をアンプ１６に送る。これに応じ、アンプ１６は検波回路１１からの音声信号を増幅し、スピーカ１７に供給する。つまり、スピーカ１７には、通常チャネルにおける受信信号をデコードして得られる音声信号５１が供給されるので、ユーザは通常チャネルにおける受話音声を聞くことができる。
【００４３】
優先チャネルへの切替えを開始する時刻Ｔ１が到来すると、ＵＬ電圧は３．３［Ｖ］から０．０［Ｖ］となるので、マイコン１４はスイッチ１５をオン状態に切り替える。これにより、ＡＤＣ入力端子１４ａの電圧は、ＤＡＣ出力端子１４ｂの電圧１［Ｖ］に固定される。その後、時刻Ｔ２において優先チャネルへの切替えが完了すると、ＵＬ電圧は３．３［Ｖ］となるので、マイコン１４はスイッチ１５をオフ状態に切り替える。これに応じて、ＡＤＣ入力端子１４ａの電圧は、１［Ｖ］を起点として、優先チャネルにおける本来のスケルチ電圧に向けて収束を開始することになる。このため、同図のように、スケルチ電圧が１［Ｖ］以上であるとすれば、直ちにマイコン１４はその旨を判定することができる。
【００４４】
スケルチ電圧が１［Ｖ］以上である旨の判定を行うと、これは優先チャネルでは有効な信号が存在しておらず、大きな雑音のみが存在することを意味するので、マイコン１４は時刻Ｔ３において通常チャネルへ戻るための制御を行う。これにより、通常チャンルへの切替えが開始されることになる。これに応じてＵＬ電圧は０．０［Ｖ］となるので、マイコン１４はスイッチ１５をオン状態とし、スケルチ電圧を１［Ｖ］に固定する。時刻Ｔ４においてチャネルの切替えが完了すると、ＵＬ電圧は３．３［Ｖ］となるので、マイコン１４はスイッチ１５をオフ状態とする。これに応じて、スケルチ電圧は１［Ｖ］からその本来の値への収束を開始する。スケルチ電圧が１［Ｖ］未満であれば、マイコン１４は時刻Ｔ４の直後にその旨を判定し、アンプ１６に対しオン信号を送る。これにより、スピーカ１７には、再度、通常チャネルによる受信信号をデコードした音声信号５３の供給が開始されることになる。
【００４５】
この間、時刻Ｔ１からＴ４までの期間においては、通常チャネルの受信を行うことができないので、無線機は、デコーダが予測し、補間して生成する音声信号５２をスピーカ１７に供給する。
【００４６】
本実施形態によれば、受信チャネルの切替え中には、スケルチ電圧を、スケルチ電圧についての判定閾値と同一の電圧値となるように固定するようにしたため、切替え完了後の受信チャネルにおけるスケルチ電圧についての判定を直ちに行うことができる。したがって、スキャン動作における各チャネルでの有効な受信信号の有無を短時間で判定することができる。このため、プライオリティスキャンに際し、プライオリティチャンネルのチェックを短時間に行うことができるので、スキャンを開始してから元の通常チャンネルの受信に戻るまでに従来生じていた音切れを防止することができる。
【００４７】
たとえば、時刻Ｔ１からＴ２（図１４ではｔ１〜ｔ２）までに１３［ｍｓｅｃ］を要するとすれば、図１４の従来例によれば、受信周波数の変更が完了してＵＬ電圧が３．３［Ｖ］となり、そのときの高い電圧値からスケルチ電圧が、判定閾値電圧である１［Ｖ］まで収束するのに５０［ｍｓｅｃ］を要するので、１つのチャネルのスキャンについて合計６３［ｍｓｅｃ］を必要とする。つまり、１秒間で参照できるチャネル数は１５チャネルとなる。また、プライオリティスキャンに際し、通常チャネルから離れて優先チャネルを参照するのに要する時間は、７６（＝１３＋５０＋１３）［ｍｓｅｃ］となる。この時間は、ＩＭＢＥ方式のボコーダによって予測し、補間することができる３８［ｍｓｅｃ］を超えているので、受信音声の途切れを生じさせることになる。
【００４８】
これに対し、本実施形態によれば、受信周波数の変更を完了した時点ではスケルチ電圧が１［Ｖ］に固定されているため、マイコン１４は殆ど待つことなくスケルチ電圧についての判定を行うことができる。たとえば、スケルチ電圧の読取り及び判定に１０［ｍｓｅｃ］を要するとすれば、１つのチャネルのスキャンに要する時間は２３（＝１３＋１０）［ｍｓｅｃ］となる。１秒間に４３チャネルを参照することができる。また、プライオリティスキャンに際し、通常チャネルから離れて優先チャネルを参照する時間は、図５に示されるように、３６（＝１３＋１０＋１３）［ｍｓｅｃ］となる。これは、ＩＭＢＥ方式のボコーダによって通常チャネルの音を予測し補間することができる３８［ｍｓｅｃ］よりも短いので、同ボコーダを用い、受信音声に途切れを生じさせることなく、優先チャネルの観測を行うことができる。
【００４９】
図６は本発明の第２の実施形態に係る無線機のスケルチ回路を示す回路図である。図１の場合と同一の符号は同一の要素を示す。図６において、ＴｒはＡＤＣ入力端子１４ａ及びＤＡＣ出力端子１４ｂ間に接続されたスイッチング素子としての電界効果型のトランジスタ、Ｒ２はトランジスタＴｒのゲート・ソース間に接続された放電用の抵抗、Ｄ３はトランジスタＴｒのゲートに対し、アノード側が接続されたダイオードである。
【００５０】
図１の実施形態においてはＡＤＣ入力端子１４ａ及びＤＡＣ出力端子１４ｂ間の接続のオン・オフをスイッチ１５によって制御するようにしているのに対し、本実施形態ではこの制御をトランジスタＴｒによって行うようにしている。トランジスタＴｒのオン・オフを制御するスイッチ制御信号ｓｃはダイオードＤ３を介して与えられる。その他の点に関しては、図１の実施形態の場合と同様である。
【００５１】
図７は本発明の第３の実施形態に係る無線機のスケルチ回路を示す回路図である。図１の場合と同一の符号は同一の要素を示す。図７において、７１はＡＤＣ入力端子１４ａ及びＤＡＣ出力端子１４ｂ間に接続されたリレーである。図１の実施形態においてはＡＤＣ入力端子１４ａ及びＤＡＣ出力端子１４ｂ間の接続のオン・オフをスイッチ１５によって制御するようにしているのに対し、本実施形態では、リレー７１によって制御するようにしている。その他の点に関しては、図１の実施形態の場合と同様である。
【００５２】
図８は本発明の第４の実施形態に係る無線機のスケルチ回路を示す回路図である。図１の場合と同一の符号は同一の要素を示す。図８において、８１は無線機が有する周波数変換用の局部発振回路である。局部発振回路８１は上述のＵＬ信号を出力する機能を備え、ＵＬ信号をスイッチ１５に供給する。つまり、図１の実施形態においてはスイッチ１５の制御をマイコン１４がＵＬ信号に基づいて行うようにしているのに対し、本実施形態においては、局部発振回路８１からのＵＬ信号により直接制御するようにしている。その他の点に関しては、図１の実施形態の場合と同様である。
【００５３】
図９は本発明の第５の実施形態に係る無線機のスケルチ回路を示す回路図である。図１の場合と同一の符号は同一の要素を示す。図９において、９１はＡＤＣ入力用及びＤＡＣ出力用に兼用される端子である。図１の実施形態においてはＡＤＣ入力端子１４ａ及びＤＡＣ出力端子１４ｂ間の接続のオン・オフをスイッチ１５により制御するようにしているのに対し、本実施形態ではこれと同様の機能を、端子９１をＡＤＣ入力用又はＤＡＣ出力用に切り替えることによって行うようにしている。
【００５４】
すなわち、１つの端子をＤＡＣ出力用及びＡＤＣ入力用に任意に切り替えて使用することができるマイコンがよく知られており、本実施形態ではこのようなマイコン１４を使用している。これによれば、スイッチ１５をオフとするタイミングと同じタイミングで端子９１をＡＤＣ入力用として、スケルチ電圧を入力するために使用し、スイッチ１５をオンとするタイミングと同じタイミングで端子９１をＤＡＣ出力用として、１［Ｖ］を出力するために使用することにより、図１の実施形態の場合と同様の機能を行うことができる。この場合、スケルチ回路自体は図１２における従来のスケルチ回路と同様のものとなる。その他の点に関しては、図１の実施形態の場合と同様である。
【００５５】
図１０は本発明の第６の実施形態に係る無線機のスケルチ回路を示す回路図である。図１の場合と同一の符号は同一の要素を示す。図１０において、Ｄ４はＡＤＣ入力端子１４ａに対してアノード側が接続されたダイオードである。図１の実施形態においてはＤＡＣ出力１４ｂからスケルチ電圧についての判定閾値電圧と同じレベルの１［Ｖ］を出力するようにしているが、本実施形態では、この電圧として、ＤＡＣ出力を使用せずに、他の固定電圧を使用するようにしている。
【００５６】
すなわち、ダイオードＤ４のカソード側に、ＵＬ電圧に基づく制御信号ｃｓを付与し、ＵＬ電圧が３．３［Ｖ］のときに逆方向バイアスが印加され、０．０［Ｖ］のときに順方向バイアスが印加されるようにしている。順方向バイアスが印加される間、ＡＤＣ入力端子１４ａに対し、ダイオードＤ４の順方向電圧が固定電圧として印加される。他の点については、図１の実施形態の場合と同様である。
【００５７】
図１１は本発明の第７の実施形態に係る無線機のスケルチ回路を示す回路図である。図１の場合と同一の符号は同一の要素を示す。図１の実施形態においてはＤＡＣ出力１４ｂからスケルチ電圧についての判定閾値電圧と同じレベルの１［Ｖ］を出力するようにしているが、本実施形態においては、この電圧として、ＤＡＣ出力を使用せずに、他の固定電圧を使用するようにしている。
【００５８】
すなわち、マイコン１４のＡＤＣ入力端子１４ａとアースとの間に、スイッチＳＷ及びツェナーダイオードＤ５の直列回路を設け、スイッチＳＷを、ＵＬ電圧が０．０［Ｖ］のときにオン、３．３［Ｖ］のときにオフとなるように制御するようにしている。スイッチＳＷがオンの間、ツェナーダイオードＤ５のピンチオフ電圧によってＡＤＣ入力端子１４ａの電圧が１［Ｖ］となるように制御される。その他の点に関しては、図１の実施形態の場合と同様である。なお、マイコン１４のＡＤＣ入力端子１４ａに対して固定電圧を与える方法としては、他に、シャントレギュレータ等を用いる方法も考えられる。
【図面の簡単な説明】
【００５９】
【図１】本発明の第１の実施形態に係る無線機におけるスケルチ回路の構成を示す回路図である。
【図２】図１の無線機において受信周波数が変更される際にマイコンのＡＤＣ入力端子に印加される電圧及びＵＬ信号の波形例を示す図である。
【図３】図１の無線機において受信周波数の変更後のスケルチ電圧が０．７［Ｖ］である他は図２の例の場合と同様の場合におけるＡＤＣ入力端子の電圧の波形及びＵＬ信号の波形を示す図である。
【図４】図１の無線機において受信周波数の変更後のスケルチ電圧が１．５［Ｖ］である他は図２の例の場合と同様の場合におけるＡＤＣ入力端子の電圧の波形及びＵＬ信号の波形を示す図である。
【図５】図１の装置におけるプライオリティスキャン時の動作を示すタイミングチャートである。
【図６】本発明の第２の実施形態に係る無線機のスケルチ回路を示す回路図である。
【図７】本発明の第３の実施形態に係る無線機のスケルチ回路を示す回路図である。
【図８】本発明の第４の実施形態に係る無線機のスケルチ回路を示す回路図である。
【図９】本発明の第５の実施形態に係る無線機のスケルチ回路を示す回路図である。
【図１０】本発明の第６の実施形態に係る無線機のスケルチ回路を示す回路図である。
【図１１】本発明の第７の実施形態に係る無線機のスケルチ回路を示す回路図である。
【図１２】従来例に係る無線機のスケルチ回路を示す回路図である。
【図１３】図１２の無線機において受信周波数が変更される際のＡＤコンバータに入力されるスケルチ電圧の波形を示す。
【図１４】図１２の無線機において通常チャネルの音声出力に途切れが発生する状況を示すタイミングチャートである。
【符号の説明】
【００６０】
１１：検波回路、１２：バンドパスフィルタ、１３：整流回路、１４：マイコン、１４ａ：ＡＤＣ入力端子、１４ｂ：ＤＡＣ入力端子、１５：スイッチ、１６：アンプ、１７：スピーカ、２１，３１，４１，１３１：ＡＤＣ入力端子の電圧の波形、２２，３２，４２，１３２：ＵＬ信号の波形、５１〜５３，１４１，１４２，１４４：音声信号の波形、７１：リレー、８１：局部発振回路、９１：端子、１４３：音声が途切れた状態、Ｃ１，Ｃ２：コンデンサ、Ｄ１〜Ｄ４：ダイオード、Ｄ５：ツェナーダイオード、Ｒ１，Ｒ２：抵抗、ＳＷ：スイッチ、Ｔｒ：トランジスタ。
【図１】
0004682851.tif 000002
【図２】
0004682851.tif 000003
【図３】
0004682851.tif 000004
【図４】
0004682851.tif 000005
【図５】
0004682851.tif 000006
【図６】
0004682851.tif 000007
【図７】
0004682851.tif 000008
【図８】
0004682851.tif 000009
【図９】
0004682851.tif 000010
【図１０】
0004682851.tif 000011
【図１１】
0004682851.tif 000012
【図１２】
0004682851.tif 000013
【図１３】
0004682851.tif 000014
【図１４】
0004682851.tif 000015